(57)【要約】【課題】給紙装置の構造上、通常の方法で紙送りセンサを取り付けられない場合においても、容易に紙送りセンサを取り付けることができる給紙装置を得る。【解決手段】給紙装置の取付け部に、複数のガイド部材４８とフック部材５０とを形成する。ガイド部材４８およびフック部材５０は、紙送りセンサ２４の外形に沿って配置され、紙送りセンサ２４の爪部４４と異なる向きに延びるように形成される。フック部材５０の先端側に鉤状部５２を形成し、この鉤状部５２で紙送りセンサ２４を引っ掛けて、ガイド部材４８が延びる向きにおける紙送りセンサ２４の動きを抑制する。フック部材５０の高さをガイド部材４８の高さより低くすることにより、紙送りセンサ２４をガイド部材４８の長手方向に沿って動かし、フック部材５０で紙送りセンサ２４をフックする。【選択図】図２
2008239265.tif 000002
【特許請求の範囲】
【請求項１】
紙を貯留する貯留部と、前記貯留部に貯留された前記紙を送り出す送り出し機構と、前記送り出し機構によって送り出される前記紙を検出するために所定の向きに取付け方向を有する紙送りセンサとを含む給紙装置であって、
前記紙送りセンサの所定の取付け方向と異なる向きに延びて形成され、前記紙送りセンサの外形に沿って配置される複数のガイド部材と、
前記ガイド部材が延びる向きに沿って延びるように形成されるとともに前記ガイド部材の外形に沿って配置され、前記ガイド部材が延びる向きにおける前記紙送りセンサの動きを止めるフック部材とを含む、給紙装置。
【請求項２】
前記フック部材の高さが前記ガイド部材の高さより低いことを特徴とする、請求項１に記載の給紙装置。
【請求項３】
前記フック部材の先端側に鉤状部が形成され、前記フック部材の先端側の幅が小さくなるような傾斜部が前記鉤状部に形成された、請求項２に記載の給紙装置。
【発明の詳細な説明】
【技術分野】
【０００１】
この発明は、給紙装置に関し、特にたとえば、複写機における複写用紙を貯留して画像形成装置に送り出す給紙装置に関する。
【背景技術】
【０００２】
図１は、複写機などにおける給紙装置の一例を示す図解図である。給紙装置１０は、給紙トレイ１２を含む。給紙トレイ１２内には、バネ１４によって、底板１６がピックアップローラ１８に押し付けられている。底板１６は、紙を貯留するための貯留部として働き、底板１６上に複数枚の紙が貯留される。そして、ピックアップローラ１８によって、底板１６上に載置された紙が底板１６に沿って上方に送り出される。紙の送り出し方向には、送り出しローラ２０とニップローラ２２とで送り出される。これらのピックアップローラ１８、送り出しローラ２０およびニップローラ２２などによって、紙を送り出すための送り出し機構が構成される。送り出しローラ２０とニップローラ２２とで送り出された紙は、画像形成装置に送られ、画像形成装置によって原稿に記載されている内容が複写される。
【０００３】
送り出しローラ２０の近傍には、紙送りセンサ２４が取り付けられる。汎用の紙送りセンサ２４には、たとえば図５に示すように、爪部２６が形成されており、この爪部２６がベース２８に形成された取付け孔３０に嵌め込まれることによって、紙送りセンサ２４が固定される（特許文献１参照）。紙送りセンサ２４によって画像形成装置に送り出される紙が検出され、それによって、画像形成のタイミングをとることができる。
【０００４】
【特許文献１】特開平５−３４１６８７号公報
【発明の開示】
【発明が解決しようとする課題】
【０００５】
上述のように、汎用の紙送りセンサには、取付け用の爪が形成されており、紙送りセンサの取付け方向が決まっている。そのため、たとえば、取付け孔が形成されたベースの裏側を紙が通過するような構造の場合、取付け孔から紙送りセンサの爪部が突出したりして、紙の移動が妨げられることがある。また、給紙装置の構造上、紙送りセンサの爪部を固定するためのベースを設けることが難しい場合があり、このような場合、紙送りセンサを取り付けるために別部材を用いる必要がある。
【０００６】
それゆえに、この発明の主たる目的は、給紙装置の構造上、通常の方法で紙送りセンサを取り付けられない場合においても、容易に紙送りセンサを取り付けることができる給紙装置を提供することである。
【課題を解決するための手段】
【０００７】
この発明は、紙を貯留する貯留部と、貯留部に貯留された紙を送り出す送り出し機構と、送り出し機構によって送り出される紙を検出するために所定の向きに取付け方向を有する紙送りセンサとを含む給紙装置であって、紙送りセンサの所定の取付け方向と異なる向きに延びて形成され、紙送りセンサの外形に沿って配置される複数のガイド部材と、ガイド部材が延びる向きに沿って延びるように形成されるとともにガイド部材の外形に沿って配置され、ガイド部材が延びる向きにおける紙送りセンサの動きを止めるフック部材とを含む、給紙装置である。
このような給紙装置において、フック部材の高さがガイド部材の高さより低いことが好ましい。
このとき、フック部材の先端側に鉤状部が形成され、フック部材の先端側の幅が小さくなるような傾斜部が鉤状部に形成されることが好ましい。
【０００８】
紙送りセンサの外形に沿って配置されたガイド部材に接するようにして紙送りセンサをスライドさせることにより、紙送りセンサ外面に複数のガイド部材が接触した状態で、フック部材によりガイド部材が延びる方向における紙送りセンサの動きが止められる。その他の向きにおける紙送りセンサの動きは、外形に添って配置されたガイド部材によって止められ、紙送りセンサが固定される。ここで、ガイド部材が、紙送りセンサの所定の取付け方向と異なる向きに延びて形成されているため、紙送りセンサは、ガイド部材に沿って、通常の取付け方向と異なる向きにスライドしてフック部材により固定される。
また、フック部材の高さをガイド部材の高さより低くすることにより、ガイド部材に紙送りセンサを接触させながらスライドさせて、紙送りセンサを固定することができる。
このとき、フック部材の先端側に鉤状部を形成し、フック部材の先端側の幅が小さくなるような傾斜部を鉤状部に形成しておくことにより、傾斜部上を紙送りセンサが滑って移動し、フック部材に無理な負荷をかけることなく、フック部材で紙送りセンサが固定される。
【発明の効果】
【０００９】
この発明によれば、紙送りセンサを所定の取付け方向と異なる方向にスライドさせることにより、紙送りセンサを容易に固定することができる給紙装置を得ることができる。そのため、給紙装置の構造上、紙送りセンサを所定の方向に取り付けることができない場合であっても、容易に紙送りセンサを取り付けることができる給紙装置を得ることができる。
【００１０】
この発明の上述の目的，その他の目的，特徴および利点は、図面を参照して行う以下の発明を実施するための最良の形態の説明から一層明らかとなろう。
【発明を実施するための最良の形態】
【００１１】
図１に示す給紙装置１０において、紙送りセンサ２４としては、たとえば図２に示すような汎用の紙送りセンサ２４が用いられる。この紙送りセンサ２４は、本体３２を含み、本体３２の一方に突出するように、２つの光感知部３４，３６が形成される。２つの光感知部３４，３６は、互いに平行となるように、本体３２から突出して形成される。これらの光感知部３４，３６の対向する部分に、窓部３８，４０が形成される。一方の光感知部３４の窓部３８から他方の光感知部３６の窓部４０に向かって光が照射され、その光が他方の光感知部３６において受光される。
【００１２】
２つの光感知部３４，３６の間には、図１に示すように、作動片４２が配置される。作動片４２は、図３に示すように、長尺状に形成され、その一端が送り出しローラ２０とニップローラ２２の近傍における紙の通過位置まで延びるように配置される。また、作動片４２の他端は、紙送りセンサ２４の２つの光感知部３４，３６の間に配置され、窓部３８，４０間で光を遮断している。作動片４２は、図１に示すように、その中間部における支持部４２ａで回動可能に支持される。したがって、図２の矢印Ａで示すように、送り出しローラ２０とニップローラ２２の間を紙が通過すると、通過する紙が作動片４２の一端を持ち上げ、他端が下がって光感知部３４の窓部３８から照射された光が光感知部３６の窓部４０で受光される。それによって、紙が送り出されたことが検出される。
【００１３】
さらに、光感知部３４，３６の反対側において、本体３２から突出するように、爪部２６が形成される。爪部２６は、ベースに形成された取付け孔などに嵌め込んで、紙送りセンサ２４を固定するためのものである。したがって、通常においては、紙送りセンサ２４は、爪部２６側に配置されたベースの取付け孔などに向かって押し込まれて固定される。
【００１４】
しかしながら、この給紙装置１０では、爪部２６を使用しないで、紙送りセンサ２４が取り付けられる。そのために、図４に示すように、紙送りセンサ２４の取付け部４６には、複数の柱状のガイド部材４８が形成される。ガイド部材４８は、取付け部４６の底面から上方に向かって延びるように形成される。また、紙送りセンサ２４の取付け部４６には、フック部材５０が形成される。フック部材５０は、ガイド部材４８と同様に、取付け部４６の底面から上方に向かって延びるように形成される。フック部材５０の先端側には、鉤状部５２が形成され、紙送りセンサ２４の光感知部３４が鉤状部５２に引っ掛かるようになっている。さらに、鉤状部５２の上面には、フック部材５０の先端側の幅が狭くなるような傾斜部５２ａが形成される。
【００１５】
ガイド部材４８およびフック部材５０は、紙送りセンサ２４の爪部２６の間および２つの光検知部３４，３６の外側に接するように配置される。ガイド部材４８間およびガイド部材４８とフック部材５０との間には、必要に応じて、橋渡し部５４が形成される。橋渡し部５４は、取付け部４６の底面から一定の高さで、２つのガイド部材４８間およびガイド部材４８とフック部材５０との間を橋渡しするように形成される。この橋渡し部５４によって、紙送りセンサ２４の高さが調整される。
【００１６】
この給紙装置１０において、取付け部４６に紙送りセンサ２４を取り付けるときには、ガイド部材４８の内側に紙送りセンサ２４を沿わせて、底面側に向かって押し込まれる。このとき、紙送りセンサ２４が底面側に移動するにしたがって、フック部材５０においては、紙送りセンサ２４が鉤状部５２の傾斜部５２ａを滑るように移動する。そして、フック部材５０が開いて、鉤状部５２が紙送りセンサ２４の側面を通り、紙送りセンサ２４が最後まで押し込まれたときに、鉤状部５２が紙送りセンサ２４の上面に引っ掛けられる。
【００１７】
このように、この給紙装置１０では、ガイド部材４８に沿って紙送りセンサ２４を滑らせながら押し込むことにより、フック部材５０によって、紙送りセンサ２４がフックされる。この鉤状部５２が引っ掛かることにより、ガイド部材４８の長手方向に沿った紙送りセンサ２４の動きが抑制される。また、ガイド部材４８およびフック部材５０が紙送りセンサ２４の外形に沿って配置されていることにより、ガイド部材４８やフック部材５０の幅方向に沿った紙送りセンサ２４の動きが抑制される。それにより、紙送りセンサ２４は、取付け部４６に固定される。
【００１８】
この給紙装置１０においては、ガイド部材４８とフック部材５０によって、紙送りセンサ２４の所定の取付け方向と異なる向きに向かって、紙送りセンサ２４を固定することができる。また、紙送りセンサ２４を取り付ける部分にガイド部材４８およびフック部材５０が形成されることにより、取付け部４６の底面に取付け孔などを形成する必要がなく、その裏面を紙が通過するような構成であっても、紙の通過に影響を与えることはない。したがって、給紙装置１０の構造上の都合により、紙送りセンサ２４の所定の取付け方向を採用できない場合であっても、この給紙装置１０においては、別部材を使用することなく、紙送りセンサ２４を取り付けることができる。
【００１９】
また、フック部材５０の高さをガイド部材４８の高さより低くしておくことにより、ガイド部材４８に沿って紙送りセンサ２４を滑らせていくことにより、フック部材５０に無理な負荷がかかることなく、鉤状部５２で紙送りセンサ２４を固定することができる。このように、この給紙装置１０では、紙送りセンサ２４を所定の方向に取り付けできない場合であっても、所定の方向と異なる向きに、別部材を用いることなく、容易に紙送りセンサ２４を取り付けることができる。
【図面の簡単な説明】
【００２０】
【図１】複写機などにおける給紙装置の一例を示す図解図である。
【図２】この発明の給紙装置の取付け部に取り付けられた紙送りセンサを示す図解図である。
【図３】図２に示す紙送りセンサに組み合わされる作動片の形状を示す給紙装置の図解図である。
【図４】図２に示す紙送りセンサの取付け部を示す図解図である。
【図５】従来の紙送りセンサの取付け状態を示す図解図である。
【符号の説明】
【００２１】
１０  給紙装置
１２  給紙トレイ
１８  ピックアップローラ
２０  送り出しローラ
２２  ニップローラ
２４  紙送りセンサ
４２  作動片
４６  取付け部
４８  ガイド部材
５０  フック部材
５２  鉤状部
【図１】
2008239265.tif 000003
【図２】
2008239265.tif 000004
【図３】
2008239265.tif 000005
【図４】
2008239265.tif 000006
【図５】
2008239265.tif 000007